(57)【要約】【課題】家具の移動や新規設置、或いは間取りの変更に伴い、コンセントの使用場所が変更になった際の対応を容易とする。又家具等で壁面の既設のコンセトが隠れる場合やコンセントの必要数が増加する場合の工事を、ユーザー自身で出来るようにする。【解決手段】面に露出して配線する電源用又は／及び情報用ケーブルを固定し同時に被覆する配線構造において、コンセントタップに接続したケーブルを収容する配線用スペース及び該配線用スペースの表面を覆い変形によりケーブルの挿通を可能とする遮蔽材を具えた長尺状のコンセントホルダーベースと、該コンセントホルダーベースに対し移動自在に取付けられ、既成品のコンセントタップを着脱自在に装着しうるタップホルダとからなることを特徴とする。更にメンテナンス性を更に高める為、コンセントホルダーベースの配線用スペースが、固定配線用スペースと、セントホルダーベースに設けた遮蔽材に臨みコンセントタップに接続したケーブルを収容する移動配線用スペースに分離形成する。【選択図】  図１
2004173363.tif 000002
【特許請求の範囲】
【請求項１】
壁面に露出して配線する電源用又は／及び情報用ケーブルを固定し同時に被覆する配線構造において、コンセントタップに接続したケーブルを収容する配線用スペース及び該配線用スペースの表面を覆い変形によりケーブルの挿通を可能とする遮蔽材を具えた長尺状のコンセントホルダーベースと、該コンセントホルダーベースに対し移動自在に取付けられ、既成品のコンセントタップを着脱自在に装着しうるタップホルダとからなることを特徴とする配線構造。
【請求項２】
上記コンセントホルダーベースの配線用スペースが、固定配線用スペースと、セントホルダーベースに設けた遮蔽材に臨みコンセントタップに接続したケーブルを収容する移動配線用スペースに分離形成されたことを特徴とする請求項１記載の配線構造。
【請求項３】
上記遮蔽材が、コンセントホルダーベースの下部又は上部のフランジを軟質材で形成することにより構成されたものであることを特徴とする請求項１又は２記載の配線構造。
【発明の詳細な説明】
【０００１】
【発明の属する技術分野】
本発明は、建物屋内の壁面における電源及び情報の配線構造配線構造に関する。
【０００２】
【従来の技術】
近年、家庭にコンピュータやファクシミリ等が普及し、また家電製品も非常に多くなってきている。そのため、設置したコンセントが不足した場合や、あるいは設置したコンセントがあっても、家具を置いたり、間取りの変更などにより、このコンセントが使用できなくなった場合には、従来、延長コードなどを用いて、たこ足配線して対応するか、あるいはコンセントの増設や移動を、電気工事店等の専門業者に依頼している。
【０００３】
しかしながら、たこ足配線は火災等を生じる危険がある。また、専門業者に依頼して工事してもらうのは、工事に取り掛かるまでに通常時間を要するし、工事費用もかかり、しかも工事を行うに際して、壁紙の貼り直しなどの補修工事が付随するという問題がある。
【０００４】
このような問題を解決するため、図８に示すように、居室の巾木、廻り縁、扉枠などの細長部材を配線スペースとして使用し、細長の配線スペースボックスａとプラグ、ソケット、コネクタ等接続部材ｂを具えたアウトレットユニットｃを組合わせて構成する配線構造が提案されている。（例えば、特開平９−２４７８２８号）
【０００５】
【発明が解決しようとする課題】
この種配線構造のシステム化により、配線工事が省力化でき比較的安いコストで配線の変更や増設が可能となった。しかしながら上記配線スペースボックスやアウトレットユニット等専用の部材を使用する上、ケーブルの切断や接続といった専門作業を必要とする為、ユーザー自らが配線の変更を行うことは依然困難であった。
【０００６】
本発明は、以上のような問題点に鑑み案出なされたもので、部屋の模様替えなどに起因して生じるコンセント位置の増設や変更をユーザー自らが容易に行うことができ、しかもケーブルが露出しないため安全に使用できるとともに外観を損なうこともない配線構造を提供することを目的としている。
【０００７】
【課題を解決するための手段】
本発明のうち請求項１記載の発明は、壁面に露出して配線する電源用又は／及び情報用ケーブルを固定し同時に被覆する配線構造において、コンセントタップに接続したケーブルを収容する配線用スペース及び該配線用スペースの表面を覆い変形によりケーブルの挿通を可能とする遮蔽材を具えた長尺状のコンセントホルダーベースと、該コンセントホルダーベースに対し移動自在に取付けられ、既成品のコンセントタップを着脱自在に装着しうるタップホルダとからなることを特徴としている。
【０００８】
また請求項２記載の発明は、上記コンセントホルダーベースの配線用スペースが、固定配線用スペースと、セントホルダーベースに設けた遮蔽材に臨みコンセントタップに接続したケーブルを収容する移動配線用スペースに分離形成されたことを特徴としている。
【０００９】
また請求項３記載の発明は、上記遮蔽材が、コンセントホルダーベースの下部又は上部のフランジを軟質材で形成することにより構成されたものであることを特徴としている。
【００１０】
【発明の実施の形態】
以下本発明の実施の一形態を図面に基づき説明する。
本発明の配線構造Ｘは、図１及び図２に示すように、コンセントホルダーベース４とタップホルダ６とからなる。
【００１１】
前記コンセントホルダーベース４は、ベース本体２１と遮蔽材３を具える。ベース本体２１は壁面Ｗにビス２２により固定される横長のベース基板２３と、その上下端で外側に折れ曲がり配線用スペースＳを隔てて向き合う上下のベースフランジ２４Ｕ  、２４Ｌと、該ベースフランジ２４Ｕ  、２４Ｌの前端で更に内側に折れ曲がる上下のリップ２５Ｕ、２５Ｌとからなり、リップ２５Ｕ、２５Ｌの先端の間隙でケーブル挿入口Ｂを形成している。
【００１２】
ベース本体２１は、ロール成形装置を用いて鉄板を成形する他、プラスチック材料を使用した押し出し成形や塩化ビニル化粧シート貼り合板を使用したＶカット曲げ加工により形成される。又コンセントホルダーベース４の全体の大きさは高さ３０〜１００ｍｍ、奥行き１０〜４０ｍｍとし、壁面Ｗに装着される巾木、窓額縁等の装飾材に連続して取り付ける際には、その大きさに合わせると外観を維持できる点で好ましい。長さは設置の条件に応じて適宜切断して使用される。尚前記ケーブル挿入口Ｂの開口巾は１０〜３０ｍｍに形成される。
【００１３】
本実施形態では、図２に示すように、獣毛、植物性糸、合成樹脂糸等からなる多数の線材２６を植設した基材２７を、ベース本体２１のリップ２５Ｕ裏側に接着することにより、ベース本体２１のケーブル挿入口Ｂに遮蔽材３を設ける。遮蔽材３はケーブル挿入口Ｂを遮蔽しベース本体２１内部に形成される配線用スペースＳの露呈を防いで外観維持を図ると同時に、図１に示すようにベース本体２１の配線用スペースＳへのケーブル２の出入れを自由とする。本実施形態では、多数の線材２６からなる遮蔽材３を例示しているが、布、プラスチックフィルム等のシート材をベース本体２１のリップ２５Ｕ裏面から垂下して形成したものや、プラスチックプレート等の多数の小片をベース本体２１のリップ２５Ｕから回動自在に連続垂下し、ケーブル２の出入れする箇所の少片を回動して挿入空間を確保するするように構成することもできる。
【００１４】
前記タップホルダ６は、ホルダ本体２９とスライドプレート１０とからなる。ホルダ本体２９は、上ホルダフランジ１１Ｕと下ホルダフランジ１１Ｌを垂直なホルダ基板９で連結したコ字状の折曲体からなる。
【００１５】
図３に示すように、前記スライドプレート１０は、ホルダ本体２９の内側に位置し下ホルダフランジ１１Ｌの上面と向き合う。そして、下ホルダフランジ１１Ｌに形成された螺子孔に螺装されたボルト１５先端に設けた鍔１６が、スライドプレート１０下面の扁平半球状の受け部１７内部で回転自在に支持されており、ホルダ本体２９の内側で支持されたスライドプレート１０は、ボルト１５の回転により上ホルダフランジ１１Ｕとの間隔が増減すべく進退移動する。これにより、市販されている既製品のコンセントタップ１はその大きさが製品毎不統一であるが、スライドプレート１０の位置調整により該スライドプレート１０と上ホルダフランジ１１Ｕでこれを把持でき、ホルダ本体２９に確実に装着しうる。又ボルト１５を緩めることにより、スライドプレート１０をコンセントタップ１の交換等取外しが任意であることは勿論である。
【００１６】
本実施形態では、図３に示すように、スライドプレート１０と上ホルダフランジ１１Ｕの内側に、ゴム、スポンジ等の弾性層８を具えているため、コンセントタップ１を一層確実に装着しうる点で好ましい。
【００１７】
ホルダ基板９の裏面には、突出した水平な上片１２Ｕとその前端で立上る上係止片１３Ｕとからなる上鍵１４Ｕ、及び上片１２Ｕの下側で間隔を隔てて向き合う下片１２Ｌとその前端から垂下した下係止片１３Ｌとからなる下鍵１４Ｌが形成される。上片１２Ｕと下片１２Ｌの間隔は、前記コンセントホルダーベース４のケーブル挿入口Ｂの高さより、少し小さく形成される。又下係止片１３Ｌの高さは上係止片１３Ｕの高さより小さく形成され、本実施形態では略半分に形成されている。
【００１８】
然して、先ずタップホルダ６の上鍵１４Ｕの上係止片１３Ｕをコンセントホルダーベース４のケーブル挿入口Ｂからリップ２５Ｕの裏側に挿入し、上鍵１４Ｕの上片１２Ｕがリップ２５Ｕ下端に当接する位置まで持ち上げる。次に、タップホルダ６をそのホルダ基板９がコンセントホルダーベース４のリップ２５Ｕ、２６Ｌに当接する姿勢まで動かすことにより、下鍵１４Ｌをコンセントホルダーベース４のケーブル挿入口Ｂに挿入する。次に、下鍵１４Ｌの下片１２Ｌがリップ２５Ｌの上端に当接する位置までタップホルダ６を下降させる。このようにして、タップホルダ６の上鍵１４Ｕ、下鍵１４Ｌが各々コンセントホルダーベース４のリップ２５Ｕ、２５Ｌの先端に嵌合係止し、タップホルダ６がコンセントホルダーベース４に対し移動自在に装着される。
【００１９】
本実施形態の配線構造Ｘを用いて配線工事を行う際、先ず所定長さに切断したコンセントホルダーベース４をビス２２で壁面Ｗの所定位置に固定する。次にスライドプレート１０と上ホルダフランジ１１Ｕとでコンセントタップ１を把持固定したタップホルダ６を、コンセントホルダーベース４に装着する。コンセントタップ１を所定の位置にスライドさせた後、コンセントタップ１のケーブル２先端のプラグ１８を壁面Ｗに既設のコンセト１９の接続する。最後に遮蔽材３を一時的に変形せしめることにより、ケーブル２をコンセントホルダーベース４のケーブル挿入口Ｂから配線用スペースＳへ収納する。このように初期の配線工事においても、その作業が極めて簡単である。
【００２０】
更に、家具の移動や新規設置、或いは間取りの変更に伴い、コンセントの使用場所が変更になった際、タップホルダ６の移動により容易に対応できる。又家具等で壁面Ｗの既設のコンセト１９が隠れる場合やコンセントの必要数が増加する場合、ユーザー自身が市販のコンセントタップ１を使用して簡単にコンセントの位置を変更し、又増設が行える。
【００２１】
例えば、最初図４（ａ）に示すように、子供が５〜１２才の期間には子供部屋において、片側の壁面Ｗにコンセントホルダーベース４を取付け、２つの勉強机の位置に各々コンセントタップ１を配置して使用する。１３〜２５才の期間には図４（ｂ）に示すように、少し移動した間仕切収納３１に隠れた壁面コンセント３２から配線し、図面下方の空間で勉強机及びベッドサイドで使用するコンセントタップ１を配置する。又図面上方の空間では勉強机により隠れた壁面コンセント３３から配線し、その勉強机及びベッドサイドで使用するコンセントタップ１を配置する。他の壁面コンセントもその位置における必要に応じ使用されていることは勿論である。図４（ｃ）に示すように結婚後においては、ベッドに隠れた壁面コンセント３２から配線したベッドサイドで使用するコンセントタップ１を配置し、図面上方の空間では勉強机により隠れた壁面コンセント３３から配線し、その勉強机で使用するコンセントタップ１を配置する。このように子供の成長を初め、居室の使用条件の変更に伴いコンセントタップ１の位置変更と増設が自由になしえる。
【００２２】
本発明の配線構造Ｙは、図５及び図６に示すように、コンセントホルダーベース４とタップホルダ６とからなる。
【００２３】
コンセントホルダーベース４は、壁面Ｗにビス３４により固定される横長の基板３５と、その上端に軟質材を用いた連結部３６を介して折曲自在に連設されたカバー３７とからなる。基板３５には下端で外側へ直角に折曲がった受け部３６を具え更にその先端上面には係止受爪４２が突設される。
【００２４】
カバー３７は、横長板状のカバー本体３８とその上部から後方へ伸び前記連結部３６に繋がる腕部３９、及びカバー本体３８の下部で後方へ伸びるフランジを軟質材で形成した遮蔽材３を具える。カバー本体３８の上下端は腕部３９及び遮蔽材３から各々上下に突出し、上突部４４Ｕ、下突部４４Ｌを形成する。
【００２５】
カバー本体３８の裏面中位に基板３５の受け部３６に向かうリブ４０を突設し、更にリブ４０の先端下方には係止爪４１を設ける。図６（ａ）に示すように、基板３５に対し開いた状態のカバー３７が連結部３６を軸として、壁面Ｗに添う方向に回動すると、図６（ｂ）に示すように、基板３５の受け部３６の上側にカバー本体３８のリブ４０が重なると共に、受け部３６の係止受爪４２にリブ４０の係止爪４１が係合してカバー３７が固定される。然して、カバー本体３８と壁面Ｗの間隙により配線用スペースＳが構成される。そして、受け部３６及びリブ４０が配線用スペースＳを、常設コンセントに向けたケーブル２を配線する固定配線用スペースＳ１と、遮蔽材３からケーブル２が出し入れ可能なため、タップホルダ６に装着され移動、増設等を必要とするコンセントタップ１のケーブル２を配線する移動配線用スペースＳ２に区分する。このように移動配線用スペースＳ２を分離することにより、ユーザー自身が行う配線のメンテナンス作業が容易となる。
【００２６】
コンセントホルダーベース４は硬質プラスチックからなる基板３５、カバー３７と軟質プラスチックからなる連結部３６及び遮蔽材３を一体押出成形することにより形成される。又遮蔽材３はこの他、ゴム、スポンジ等の軟質成形物をカバー本体３８の下部に接着して構成することもできる。このよな遮蔽材３は、カバー本体３８と壁面Ｗの間隙より少しだけ大きく構成することにより、カバー３７が固定された状態で圧縮され、壁面Ｗの不陸を吸収して配線用スペースＳを完全に被覆でき、壁面Ｗに微振動が生じてもカバー３７のガタツキを防止しえる。
【００２７】
図５に示すように、タップホルダ６は、上ホルダフランジ１１Ｕと下ホルダフランジ１１Ｌを垂直なホルダ基板９で連結したコ字状の折曲体を基本とするホルダ本体２９と、下ホルダフランジ１１Ｌの内側に設けた板バネ４２とから成る。コンセントタップ１は、板バネ４２と上ホルダフランジ１１Ｕ間で挟着される。そして板バネ４２と、上ホルダフランジ１１Ｕ内側の弾性層８の変形により、製品毎不統一であるコンセントタップ１の一定範囲の大きさの差異を吸収し、汎用性を担保する。
【００２８】
タップホルダ６のホルダ基板９の背面の上下端に設けた下向きの上爪４３Ｕと上向きの下爪４３Ｌが、コンセントホルダーベース４のカバー３７の上突部４４Ｕと下突部４４Ｌに各々係合することにより、タップホルダ６がコンセントホルダーベース４に対し移動自在に装着される。尚、所定の位置にスライドしたコンセントタップ１のケーブル２は先端のプラグを壁面Ｗに既設のコンセトに接続するとともに、遮蔽材３を一時的に変形せしめることにより、移動配線用スペースＳ２へ収納して配線を行う。
【００２９】
図７に示す本発明の配線構造Ｚは、正面板４５の上下に上鍵溝４６Ｕ、下鍵溝４６Ｌを具えたコンセントホルダーベース４と、上鍵溝４６Ｕ、下鍵溝４６Ｌに向き合い移動自在に嵌合しうる上鍵片４７Ｕ、下鍵片４７Ｌを具えたとタップホルダ６とからなる。
【００３０】
前記コンセントホルダーベース４は正面板４５の上端で後方へ直角に折れ曲がる上フランジ４６と、更にその後端から垂下した取付板４７、及び正面板４５の下端から後方へ伸びる下部のフランジを軟質材で形成した遮蔽材３を具える。ビス４８で壁面Ｗに固定され、内部にコンセントタップ１のケーブル２を配設する配線用スペースＳを形成する。
【００３１】
本実施形態のコンセントホルダーベース４及びタップホルダ６は弾性を有する例えばプラスチックで形成され、タップホルダ６の上鍵片４７Ｕ、下鍵片４７Ｌをコンセントホルダーベース４の上鍵溝４６Ｕ、下鍵溝４６Ｌに向けて圧入することにより、相互に嵌合しえるため、装着の作業性を良好とする。特にタップホルダ６の上鍵片４７Ｕ、下鍵片４７Ｌは、弾力性に富んだ材料で形成される。
【００３２】
尚、本実施形態は、コンセントホルダーベース４は正面板４５の下端に遮蔽材３を具えるが、天地逆転して正面板４５の上端から後方へ伸びる遮蔽材３を形成し、コンセントタップ１のケーブル２をコンセントホルダーベース４の上側から内部の配線用スペースＳへ出し入れするよう構成しても良い。
【００３３】
上記実施形態の説明においては、家庭用１００ボルト電源の配線を例示しているが、本発明は、電話配線、パソコン用情報配線、インターフォン等家庭内情報配線、アンテナ配線等の情報用ケーブルの配線に対しても同様に適用しうる。
【００３４】
【発明の効果】
以上説明したように、本発明では、コンセントタップに接続したケーブルを収容する配線用スペース及び該配線用スペースの表面を覆い変形によりケーブルの挿通を可能とする遮蔽材を具えた長尺状のコンセントホルダーベースと、該コンセントホルダーベースに対し移動自在に取付けられ、既成品のコンセントタップを着脱自在に装着しうるタップホルダとからなるものであり、家具の移動や、間取りの変更に伴い、コンセントの使用場所が変更になった際、タップホルダの移動により容易に対応でき、更には家具等で壁面Ｗのコンセトが隠れる場合やコンセントの必要数が増加する場合、ユーザー自身が市販のコンセントタップを使用して簡単にコンセントの位置を変更し、又増設が行えるものである。
【００３５】
また請求項２記載の発明では、固定配線用スペースと移動配線用スペースに分離形成していることにより、配線のメンテナンス性が向上する。
【００３６】
また請求項３記載の発明では、コンセントホルダーベースの下部又は上部のフランジを軟質材で形成して遮蔽材を構成しているので、壁の不陸による隙間の発生が防止できる。
【図面の簡単な説明】
【図１】本発明の配線構造Ｘを示す斜視図。
【図２】上記配線構造Ｘの要部拡大図。
【図３】上記配線構造Ｘに使用するタップホルダの側面図。
【図４】上記配線構造Ｘの使用状態のバリエーションを示す平面配置図。
【図５】本発明の配線構造Ｙを示す斜視図。
【図６】上記配線構造Ｙに使用するコンセントホルダベースの側面図。
【図７】本発明の配線構造Ｚを示す斜視図。
【図８】従来例の概略図。
【符号の説明】
Ｗ  壁面
Ｓ  配線用スペース
Ｓ１  固定配線用スペース
Ｓ２  移動配線用スペース
１  コンセントタップ
２  ケーブル
３  遮蔽材
４  コンセントホルダーベース
６  タップホルダ
【図１】
2004173363.tif 000003
【図２】
2004173363.tif 000004
【図３】
2004173363.tif 000005
【図４】
2004173363.tif 000006
【図５】
2004173363.tif 000007
【図６】
2004173363.tif 000008
【図７】
2004173363.tif 000009
【図８】
2004173363.tif 000010